(57)【要約】【課題】家庭内のプリンタやパソコンで容易にバイオセンサーを作成し、かつ検出を行うシステムを提供する。【手段】インクジェットプリンタとコンパチブルで、生体関連物質を充填したインクタンクにより、インクジェットでバイオセンサーを製作する。センサーは一般ＰＣ用ＣＤドライブ出読み取りを行うよう構成し、検査結果をパソコンで読み取らせ、インターネットで医療・検査機関に送信する。  セキュリティの確保された通信により、医療機関はデータを受信し、診断結果の送信を行う。生体関連物質の充填されたタンクや、基材の注文、診断報酬などの対価の支払いも、セキュリティの確保されたインターネットプロトコルで行われる。【選択図】  図１
2005069728.tif 000002
【特許請求の範囲】
【請求項１】
汎用パソコン用記憶媒体上に、生体関連物質が読み取り可能な状態で固定化されてなることを特徴とする汎用生体関連情報記録済媒体。
【請求項２】
バイオチップまたはバイオセンサーであることを特徴とする請求項１記載の汎用生体関連情報記録済媒体。
【請求項３】
生体関連物質として粒子が固定化されてなる粒子センサーであることを特徴とする請求項１または２記載の汎用生体関連情報記録済媒体。
【請求項４】
印字手段により、生体関連物質を汎用パソコン用記憶媒体に対して印字することにより、汎用パソコン用記憶媒体上に生体関連物質を読み取り可能な状態で固定化することを特徴とする汎用生体関連情報記録済媒体の製造方法。
【請求項５】
インクタンク内の生体関連物質をインクジェット用ノズルを介して汎用パソコン記憶媒体に対し吐出するインクジェットプリンタと、
インクジェットプリンタに接続可能である、生体関連物質を充填するためのインクタンクと、
前記汎用パソコン用記憶媒体を前記インクジェットプリンタに対し支持するためのホルダと、
を備えたことを特徴とする請求項１〜４のいずれか１項に記載の汎用生体関連情報記録済媒体の製作装置。
【請求項６】
汎用パソコン用記憶媒体に対し生体関連物質を滴下又は塗布、若しくは外部滴下機材より導入するための生体関連物質導入手段と、
滴下又は塗布された生体関連物質の飛散を防止するための蓋体と、
を備えたことを特徴とする請求項３〜５のいずれか１項に記載の製作装置。
【請求項７】
請求項１〜３のいずれか１項に記載の汎用生体関連情報記録済媒体上の生体関連物資を検体と反応させた上記汎用生体関連情報記録済媒体を挿入するための汎用パソコン用ドライブと、
汎用生体関連情報記録済媒体上の反応済み検体の蛍光物質を励起するための励起光源と、
蛍光発光波長の読取手段と、
蛍光の検出信号を出力する出力手段と、
を備えたことを特徴とする汎用生体関連情報記録済媒体用検出装置。
【請求項８】
汎用パソコン用ドライブが、蛍光パターンの励起及び読み取りを、汎用パソコン用記憶媒体に用いられる光記憶及び読み出しを行う光学系を用いて行う光学サーボ系を備えてなることを特徴とする請求項７記載の汎用生体関連情報記録済媒体用検出装置。
【請求項９】
検体が有する生体関連情報を、汎用パソコン用記憶媒体上に読み取り可能な状態で印字して固定化する第１出力部、
第１出力部の出力を制御する第１制御部、
を有する汎用生体関連情報記録済媒体の製作装置と、
汎用パソコン用ドライブに挿入された前記汎用生体関連情報記録済媒体が有する生体関連情報に応じた信号を検出する第２出力部、
前記第２出力部からの信号を処理する演算部、
前記演算部における演算結果から検体が有する生体関連情報を解析して診断を行う第２制御部、
前記第２制御部が行った診断結果を、インターネット通信を介して医療機関または検査機関に伝送する通信制御部、
を有する汎用生体関連情報記録済媒体用検出装置と、を備えた医療システムであって、
前記検出装置は、他の生体関連物質に関する情報、検査手法、及び取扱説明等の前記生体関連情報に関する情報をインターネット通信を介して受信するための受信部を備え、
前記通信制御部は、前記受信部から得た情報を解析すると共に、前記医療機関または検査機関からの検査結果の受け取りと共に診察料の電子取引を制御することを特徴とする医療システム。
【発明の詳細な説明】
【０００１】
【発明の属する技術分野】
本発明は、バイオチップおよびバイオセンサー等を、インクジェットプリンタやパソコン内蔵のＣＤドライブなど、汎用市販機器を用いて家庭内やオフィスにおいて製作・検出・診断し、インターネットを介して診断情報を医療機関等に送信するバイオチップおよびバイオセンサーなどの汎用生体関連情報記録済媒体、その製造方法、製作装置、及び、汎用生体関連情報記録済媒体用検出装置、並びにこれらを用いた医療システムに関する。
【０００２】
【従来の技術】
近年、バイオチップの代表的な一形態として、アフィメトリックス型やスタンフォード型のＤＮＡチップが知られている。これらは、各社によって実用化され、例えば、アジレントテクノロジー社のＤＮＡチップでは、専用のインクジェットプリント技術によって、数万以上のＤＮＡをスポットし、検体のＤＮＡとハイブリダイゼーションによって二重鎖となって固定化されたものを、あらかじめ蛍光標識されスポットされたＤＮＡの蛍光発光によって、専用スキャナで検出している。（図４  および非特許文献１参照）
また、特許文献１では、個人が携帯型保健医療情報端末を利用して、体温、血圧、服薬などの保健医療情報の定時、異常時、任意時の閲覧を日常的に可能にするものとして、個人がインターネット経由で医療施設にある自己の医療保険情報データベースにデータを登録する手段と、その個人が自己の登録情報の閲覧を可能にすることをシステム化してビジネスモデルとしている。
【０００３】
しかし、このようなモデルでは、新たに医療用携帯端末を準備しなければならず、また、体温や血圧などの簡易な医療情報のほかに、昨今、進展が著しいＤＮＡ関連診断や、バイオチップによる高度な診断においては、医療機関や検査機関に出向く必要があり、何らかの疾患を負っている患者や、高齢者には負担を強いるものであることには変わりない。
【０００４】
また、特許文献２には、インターネット、専用回線、郵便、宅配便等によって不特定大衆の遺伝子多型や変異などのヒューマンゲノム情報と治療法、薬剤適合性、体質解析、疾病予防などの連鎖解析を容易にする技術が開示されている。この先行例は、疾病等と対応する遺伝子情報の関連付けを公開し、実際の遺伝子情報やサンプルを伝送することで、不特定多数の各種疾病予防等に役立てるビジネスモデルである。
【０００５】
上記先行特許出願では、遺伝子情報を共有するわけであるが、家庭での、いわゆるトレンド検査など、個人ベースの疾患の移行を時系列に診断することはできない。また、個々人の情報に関しては、継続性が少なく、多数を対象にしなければビジネスが成立しない可能性もある。
【０００６】
【特許文献１】特開２００２−１８３３１６号公報
【特許文献２】特開２００１−２９２６００号公報
【非特許文献１】
ｈｔｔｐ：／／ｗｗｗ．ｃｈｅｍ．ａｇｉｌｅｎｔ．ｃｏｍ／ｃａｇ／ｃｏｕｎｔｒｙ／ＪＰ／ｐｒｏｄｕｃｔｓ／ＰＤＳ２４３３．ｈｔｍ
【０００７】
【発明が解決しようとする課題】
しかしながら、上記従来のＤＮＡチップは、高密度であり解析結果情報も多くなるメリットはあるが、スライドグラス１枚程度で数十万円と非常に高価であり、検出器においても図４〜図６  に示すような専用のスキャナとＰＣが必要である。
【０００８】
したがって、一般家庭はおろか通常の開業医・小規模病院であっても、これらを用いて、ＤＮＡチップによる遺伝子診断をはじめとする生体関連物質の検出、血液検査、各種抗体の検査、Ｏ１５７など菌の検出、インフルエンザウィルスの検出などを行うことは事実上不可能であり、これらの検査の不便さと高価格、検査結果受領までの大幅な遅滞を生じている。
【０００９】
また、ＤＮＡチップによる遺伝子情報収集には、継続的なトレンド診断は不要とされている。一方、血液状態の経年変化や、抗原抗体検査、ウィルスの検出においては、発症予知や予防診断と言う意味で、平時からのトレンドデータの管理と判断・診断が必要となっている。しかし、こうしたバイオチップによる従来の検査形態では、前述のような多大な設備や、医療機関へのアクセスが必要なため普及するには多くの問題点を有している。
【００１０】
本発明は以上のような事情に鑑みてなされたものであり、その目的は、コスト性に優れ、一般家庭での簡易診断、予防診断、症状の傾向診断ができるバイオチップおよびバイオセンサーなどの汎用生体関連情報記録済媒体、およびその製造方法、製作装置、検出装置、並びにこれらを用いた医療システムを提供することにある。
【００１１】
【課題を解決するための手段】
本願発明者等は、上記目的を達成するために鋭意検討した。その結果、一般家庭に普及している既存のプリンタやパソコンが微細化・高機能化していることに着目し、これを利用して簡易なバイオチップやバイオセンサーを製作するとともに、検出を行い、同様に普及が進んでいるインターネット経由で、所望の医療機関に送信することで上記目的を達成できることを見出した。すなわち、近年、高精度、微量吐出が可能となり、一般家庭への普及も著しい市販プリンタを、ＤＮＡスポッターとして利用し、ＤＮＡチップやバイオチップ、バイオセンサーを製作し、同様にパソコンに内蔵されるＣＤドライブにて製作したバイオチップやバイオセンサーでの検体の反応を既存あるいは簡易的な付加部品で読み取り、解析し、インターネットなどの通信網で医療機関に送信することで、上記目的を達成できることを見出し、本発明を完成するに至った。
【００１２】
請求項１の汎用生体関連情報記録済媒体は、上記の課題を解決するために、汎用パソコン用記憶媒体上に、生体関連物質が読み取り可能な状態で固定化されてなることを特徴としている。
【００１３】
請求項２の汎用生体関連情報記録済媒体は、上記の課題を解決するために、バイオチップまたはバイオセンサーであることを特徴としている。
【００１４】
上記の構成によれば、基材として既存の汎用パソコン用記憶媒体が用いられるので、既存の汎用パソコン及び周辺機器を用いることで、印刷アダプタでＣＤレーベルを印刷するように、生体関連物質を汎用パソコン用記憶媒体上に塗布または滴下することにより、容易かつコンパクトに生体関連情報を記憶した記憶媒体を得ることができる。
【００１５】
請求項３の汎用生体関連情報記録済媒体は、上記の課題を解決するために、生体関連物質として、粒子が固定化されてなる粒子センサーであることを特徴としている。
【００１６】
上記の構成によれば、生体関連物質として、花粉やハウスダストその他の生体関連粒子を固定化することにより、アレルゲン等の量の検出がより簡便に行える。
【００１７】
請求項４の汎用生体関連情報記録済媒体の製造方法は、上記の課題を解決するために、印字手段により、生体関連物質を汎用パソコン用記憶媒体に対して印字することにより、汎用パソコン用記憶媒体上に生体関連物質を読み取り可能な状態で固定化することを特徴としている。
【００１８】
請求項５の汎用生体関連情報記録媒体の製作装置は、上記の課題を解決するために、インクタンク内の生体関連物質をインクジェット用ノズルを介して汎用パソコン記憶媒体に対し吐出するインクジェットプリンタと、インクジェットプリンタに接続可能である、生体関連物質を充填するためのインクタンクと、前記汎用パソコン用記憶媒体を前記インクジェットプリンタに対し支持するためのホルダと、を備えたことを特徴としている。
【００１９】
上記の構成によれば、市販のインクジェットプリンタを用いて、簡便に生体関連物質を汎用パソコン用記憶媒体に塗布または滴下することができる。このため、コスト性に優れ、一般家庭での簡易診断、予防診断、症状の傾向診断ができるバイオチップおよびバイオセンサーなどの汎用生体関連情報記録済媒体を得ることができる。また、製作装置自体が、上記インクジェットプリンタを備えてなることで、汎用パソコン用記憶媒体に対し、利便性よく生体関連物質を塗布または滴下することができる。
【００２０】
請求項６の製作装置は、上記の課題を解決するために、汎用パソコン用記憶媒体に対し生体関連物質を滴下又は塗布、若しくは外部滴下機材より導入するための生体関連物質導入手段と、滴下又は塗布された生体関連物質の飛散を防止するための蓋体と、を備えたことを特徴としている。
【００２１】
上記の構成によれば、製作装置が上記生体関連物質導入手段を備えることで、既存のインクジェットプリンタの機能をよりスムーズに汎用生体関連情報記録済媒体の製作に活用できる。また、上記蓋体を有することで、生体関連物質による機器系統の汚染を未然に防止することができる。
【００２２】
請求項７の汎用生体関連情報記録済媒体用検出装置は、上記の課題を解決するために、請求項１〜３のいずれか１項に記載の汎用生体関連情報記録済媒体上の生体関連物資を検体と反応させた上記汎用生体関連情報記録済媒体を挿入するための汎用パソコン用ドライブと、汎用生体関連情報記録済媒体上の反応済み検体の蛍光物質を励起するための励起光源と、蛍光発光波長の読取手段と、蛍光の検出信号を出力する出力手段と、を備えたことを特徴としている。
【００２３】
上記の構成によれば、汎用パソコン用ドライブに上記本発明の汎用生体関連情報記録済媒体を挿入し、該媒体に固定化された蛍光ラベル、蛍光標識抗体等の情報を既存のパソコン及び周辺機器の機能を利用して、より簡便に検出することができる。このため、コスト性に優れ、一般家庭での簡易診断、予防診断、症状の傾向診断ができるバイオチップおよびバイオセンサーなどの汎用生体関連情報記録済媒体上の生体関連情報を医療機関等においてより効率的に利用することができる。
【００２４】
請求項８の検出装置は、上記の課題を解決するために、汎用パソコン用ドライブが、蛍光パターンの励起及び読み取りを、汎用パソコン用記憶媒体に用いられる光記憶及び読み出しを行う光学系を用いて行う光学サーボ系を備えてなることを特徴としている。
【００２５】
上記の構成によれば、ＣＤドライブ等の既存の汎用パソコン用ドライブが、既存のＣＤ、ＣＤＲ、ＣＤＲＷ、ＤＶＤ等の光記録及び読み出し光学系と同じ光学系を用いて蛍光パターンの励起及び読み取りを行う光学サーボ系を供えているので、新たに他の光学系やサーボ系を追加装着す必要がない。
【００２６】
請求項９の検出装置は、上記の課題を解決するために、検体が有する生体関連情報を、汎用パソコン用記憶媒体上に読み取り可能な状態で印字して固定化する第１出力部、第１出力部の出力を制御する第１制御部、を有する汎用生体関連情報記録済媒体の製作装置と、汎用パソコン用ドライブに挿入された前記汎用生体関連情報記録済媒体が有する生体関連情報に応じた信号を検出する第２出力部、前記第２出力部からの信号を処理する演算部、前記演算部における演算結果から検体が有する生体関連情報を解析して診断を行う第２制御部、前記第２制御部が行った診断結果を、インターネット通信を介して医療機関または検査機関に伝送する通信制御部、を有する汎用生体関連情報記録済媒体用検出装置と、を備えた医療システムであって、前記検出装置は、他の生体関連物質に関する情報、検査手法、及び取扱説明等の前記生体関連情報に関する情報をインターネット通信を介して受信するための受信部を備え、前記通信制御部は、前記受信部から得た情報を解析すると共に、前記医療機関または検査機関からの検査結果の受け取りと共に診察料の電子取引を制御することを特徴としている。
【００２７】
上記の構成によれば、コスト性に優れ、一般家庭での簡易診断、予防診断、症状の傾向診断ができるバイオチップおよびバイオセンサーなどの汎用生体関連情報記録済媒体、およびこれらの製作装置、検出装置、並びにこれらを用いた医療システムを提供することができる。
【００２８】
すなわち、上記医療システムによって、医療機関・検査機関と家庭検査がタイムラグなく行われ、トレンドデータが管理でき、診断費用は、インターネット経由で、あらかじめ登録された口座やクレジットカードから引き落とされる仕組みを、インターネットの最新技術で安全に確立できる。
【００２９】
ここでいう、汎用パソコンの制御部での「診断結果」とそれに基づく医療機関での医師による「診断」とは、医療上での意味合いが異なることは自明のものとする。
【００３０】
【発明の実施の形態】
本発明の一実施形態について図面に基づいて説明すれば以下のとおりである。
【００３１】
本実施の形態に係る汎用生体関連情報記録済媒体は、たとえば、ＣＤ，ＣＤＲ，ＣＤＲＷ，ＤＶＤ等の光記録及び読み出しが可能な汎用パソコン用記憶媒体上に、生体関連物質が読み取り可能な状態で固定化されてなる。
【００３２】
本実施の形態に係る汎用生体関連情報記録済媒体の製作装置は、一般家庭やオフィスに設置された、市販インクジェットプリンタを内蔵または必要に応じて外付けした構成である。
【００３３】
ＣＤドライブを含むパーソナルコンピュータ（汎用パソコン，ＰＣ）またはディジタルカメラを含み、これと生体関連物質を充填した前記市販インクジェットプリンタとコンパチブルなインクタンク、バイオチップを製作するための基材、およびモデム等を介してＰＣに接続されたインターネット、同様にインターネットに接続された医療・検査機関のデータベース、医療機関と前記プリンタ、ＰＣを所有し医療・検査機関と契約をした個人または法人が登録した口座またはクレジットカードなどの課金情報を含んでいる。
【００３４】
図２は、本実施の形態に係る汎用生体関連情報記録済媒体の製作装置に備えられるインクジェットプリンタ１７を示す説明図である。図２において、印刷アダプタ８（ホルダ）は、印刷ＣＤ１９のラベル印刷を行うアダプタを示している。図２に示されるように、インクジェットプリンタ１７は、市販のインクジェットプリンタの給紙トレイ１８上に印刷アダプタ８を載置してインクジェットプリンタに取り付けられたインクジェットノズルを介して、インクタンクからの生体関連物質をＣＤ１９上に印字して固定化する。
【００３５】
図３は、本実施の形態の製作装置のインクタンクとして好適に用いられる市販プリンタのインクタンク２０ａ，  ２０ｂ，  ２０ｃを示す説明図である。インクタンク２０ａ，  ２０ｂ，  ２０ｃ中には、検体、蛍光標識抗体、その他、必要に応じて複数種類の生体関連物質を格納してもよく、また、同一種類の生体関連物質を充填してもよい。さらに、花粉などの粒子固定用の接着剤・吸着剤を充填してもよい。
【００３６】
また、図７は、本実施の形態の製作装置に用いられるインクジェットプリンタノズル部２４の底面図である。図７に示すノズル配列は、その一例であり、１インチに１８０個のノズルが存在する。
【００３７】
上記ノズル配列は、ピッチで言えば、０．１４ｍｍであるが、これらのノズルが千鳥格子状に配列されたり、ヘッド位置を工夫することにより、たとえば、図８に示すように、１／２８８０インチ（＝８．８μｍ）のピッチでドット印刷することが可能である。
【００３８】
さらに液滴の量を制御することによって、図９に示すような微細なドットの生成が可能である。これは、バイオチップやＤＮＡチップとして十分に機能を満足する微細さであり、家庭内でのターゲットを絞った比較的簡便なバイオセンサー、バイオチップを製作するには十分である。
図１０〜１６は、ＣＤ様の形状の生体関連物質基材に、生体関連物質をインクジェットで塗布、印刷し読み取るまでの実施例を示している。
【００３９】
図１０は、一般的なＣＤやＣＤＲ、ＤＶＤ等の記録ビット構成を示している。ここでは、ＣＤを例にとって、記録ライン２８に沿って、いわゆるビットが記録されていることを示している。通常音楽ＣＤ等は、射出成形機で金型により大量生産され、２９ａの円の０ビット、２９ｂの長円の１ビットで、それぞれ１６ビットで構成されているのが普通である。これらのビット＝ピットは、左と右の信号が直列に書き込まれたシリアル記録で、渦巻状に外周部から内周部に向かって連続して書き込まれている。ここでは、同期信号や誤り修正用ビットなどは省略して記述してある。要するに、これらのビットは、光学系のピット追従サーボ信号として用いられる。
【００４０】
図１１は、０ビットのみで表した、サンプリング１回分のデータ記録を示す。例えば、左チャンネル１６個のビット  ３０  と右チャンネル１６個のビットが直列であり、時間軸３２に沿って読み出される。
図１２は、ＣＤの記録面側から見たピットトレースの軌跡＝記録ライン２８  であり、図１３は、  バイオ物質のインクジェット塗布した様子を示す模式図である。同図に示すように、生体関連物質を、読み取り時の便宜等を考えて、ある程度領域を決めて、左チャネル信号（１６ビット）３０の所定の位置に固定化する。すなわち、必ずしもピットの位置に正確に一致しなくとも、ＣＤのピットが膨大であることから、生体関連物質のいずれかがピット上に吐出され、全部がピットと重ならなくとも許容される。
図１４は、ピット上にバイオ物質が正確に塗布された状態を示す。ＣＤのピットトレースは、ピット信号を拾いながら、それを追従するようサーボが動作するため、図１３で示したようにどれか１〜２個のピットのみを塞ぎ過ぎることのないようにして、サーボトレースが働くようにしなければならない。
【００４１】
このように、本発明では、生体関連物質固有の情報に基づいて記録ライン２８上の特定の位置に生体関連物質３３をインクジェット塗布していく。より具体的には、図１４に示すように、インクジェット塗布された生体関連物質３３は、その物質固有の種類等に基づいて、記録ライン２８上の複数点に固定化される。このとき、ある程度範囲を決めて、例えば読み取りラインの初期すなわち中心に近い部分のピット列周辺に、生体関連物質３３を固定化しておけば、記録ライン２８上の少なくともいずれかのビットに複数固定化されているので、通常の読み取り操作により読み取りが可能となる。
【００４２】
図１５は、一般的なＣＤやＣＤＲなどの読取メカニズムを模式化したものである。ＣＤ  ２７は、３６のテーパ−がついた軸中心調芯メカニズムでほぼ中心にセッティングされ、押さえメカニズム３５によって固定される。ＣＤは、この場合下側のモータから回転され、バイオ物質が蛍光マーカーをもったものである場合は、蛍光発光体の励起用ランプやＬＥＤ３７で下面から照射される。３７はこのような接近した形態でなくとも、ＣＤ面を照射することができれば、ＣＤドライブの下面の適当な場所から全体を照射してもかまわない。通常ビット読取メカニズムは、ピットのサーボとレース（横矢印）と上下のフォーカシングを行い、ピットを読み取る。この特許システムの場合、読み取る信号は、例えば発光強度により、通常の０ピットより大きくなるよう設計されているとすれば、バイオ物質の蛍光信号は、常に１のレベルで読取を行うことができる。図１４では、バイオ物質は円形で塗布されるように図示してあるが、これが長円形であってもかまわない。また、通常の１ビットのピットの２〜３倍の長さであってもかまわない。
【００４３】
バイオ物資の塗布は、必ずしも１種類では、判定解析ができないため、複数であることが多い。しかしながら従来のバイオチップでは、指定された座標上に特定のバイオ物質、例えばＤＮＡが滴下塗布されていることが多かった。しかし、本特許においては、家庭用プリンタやパソコンを用いて診断を行うため、もともと多種類のバイオ物質を塗布して測定することは難しい。そこで、図１６に示すように、４４ａ〜４４ｃに至るような、ある区域を設けて、その内部にピットになるべく重なるよう、かつトレースが可能な密度で、それぞれ複数の領域内で同じバイオ物質を塗布することで、複数のバイオ物質の検出が容易となる。それは、回転体であるＣＤで、ピットの位置を、渦巻状の軌跡上でＸＹ座標のように定義するのが難しく、複数の同心円状の軌跡が含まれた、扇状のブロック領域であれば、その領域の特定は比較的容易であると言う考えに基づいている。当然ながら、領域ブロックは、図１６で示したように大きくはなくともよい。
【００４４】
一方、上述したように、図４〜図６は、従来から、最も微細と考えられているＤＮＡチップの検査装置の例であり、スキャナと呼ばれるものである。各図に示すように、従来のスキャナは形状的にも大きく、専用ＰＣを必要とし、さらにＤＮＡ解析情報データベースを必要とする。
【００４５】
本発明に係る生体関連物質（バイオ物質）とは、例えばＤＮＡや蛋白質をいい、例えば、抗体や糖鎖がこれに含まれる。その他、本発明に係る生体関連物質としては、花粉やハウスダスト等の粒子類、その他、アレルゲンとされる粒子類も含まれる。ただし粒子の大きさは、ＣＤのピットの間隔や大きさに対してほぼ類似したオーダーでなければならないことは明らかである。
【００４６】
本発明の汎用生体関連情報記録済媒体としては、バイオチップ、ＤＮＡチップ、バイオセンサー等が挙げられる。
【００４７】
本発明に係るバイオセンサーの製造方法としては、例えば、ＣＤ形状に加工された基材を、ＣＤラベルを印刷するための上述したような印刷アダプタにより、インクジェットプリンタを用いて、生体関連物質を所定の場所に印刷を行う等が挙げられる。基材には、生体関連物質の付着性のよい表面処理あるいは、付着してほしくない部所には撥水性などの処理を行っておくとよい。
【００４８】
本発明の汎用生体関連情報記録済媒体用検出装置等を用いた、生体関連情報の具体的な検出方法としては、ＣＤドライブ内蔵の光学系で読取可能な例えば蛍光発色を施した蛍光標識抗体等を用いる方法が挙げられる。
【００４９】
あるいは、生体関連物質が、予め、所定の反応によって、ピットの長さ方向が０、１で判断できるよう変成するように作られている方法等を用いてもよい。
【００５０】
前記工程で製造されたＣＤ型バイオセンサーは、検体が滴下され、光学的発色や、ピット長が可変したものを、ＣＤドライブで読取を行う。通常のＣＤピットの読取とコンパチブルに配置され、これによってディジタル信号で、検査結果は読取が行われ、ＰＣのメモリーに格納される。医療機関との契約者は、このデータをセキュリティの確保された通信手段によってインターネットから、医療検査機関に転送し、個々のデータベースに格納することができる。ディジタルカメラを用いるのはもっと簡易な方法で、例えば蛍光を発する生体関連物質の場合、図示してはいないが簡単なブラックライトを照射して、蛍光発光を撮影し、そのパターンを医療機関に送信することになる。
【００５１】
次に、本実施の形態に係る医療システムについて以下に説明する。
図１は、本実施の形態の医療システムの全体構成を示す説明図である。
ブロック１は、機器類が一般家庭や事務所に存在することを示している。本医療システムでは、家庭用（オフィス用）プリンタ  ７、ディジタルカメラ  １３、ＰＣ  ６  が基本的な構成要素である。このブロック  １の中で、バイオチップ基材  ９  および  生体関連物質充填インクタンク  １０  を購入し、  印刷アダプタ  ８に、ＣＤ  １９  状にセットする家庭用プリンタ  ７  では、例えば、インターネットからダウンロードしたりバイオチップ作成セットに付属するバイオセンサー描画ソフトによって、バイオチップ基材９に生体関連物質がインクジェット式に印刷塗布され、バイオチップ  １２  （汎用生体関連情報記録済媒体）を作成する。
【００５２】
作成された、バイオチップ  １２には、被検者の検体  １１が、滴下等されて、生体関連物質と反応する。反応した生体関連物質は、例えばレーザ励起されれば発光するので、ＣＤをＰＣ用ＣＤドライブに挿入し、既存読取光学系  １６を介して発光部のデータを採取する。あるいは、発光の励起のために一部専用読取光学系  １５が付属されてもよい。一方、ＣＤの発光状態を、オフラインで、ディジタルカメラ  １３で、読み取っても良い。
読み取られたデータは、インターネット通信網  ５  に接続されたパソコン  ６から、インターネット網を介して医療機関・検査機関  ４  に送信される。医療検査４は、独自でバイオ解析情報（バイオインフォマチックス）  ３を、独自で有するか、同様にインターネット網からダウンロードして、前記データ内容を解析する。
【００５３】
また、医療機関からは、インターネット網を通して前述の診断解析結果を１の家庭や事務所の個人に通知したり家庭内治療指示を指示する。その代償として、医療機関はあらかじめインターネット網  ５あるいはオフラインで登録された、家庭  １  の代表者・利用者の銀行口座やクレジットカードから、診断費用、バイオチップ基材  ９、生体関連物質充填インクタンク  １０  などの費用を引き落とし、それらは銀行やクレジット会社の明細で通知される。
【００５４】
以上のように、本発明の医療システムでは、一般家庭に普及している既存のプリンタやパソコンが微細化・高機能化していることに着目し、これを利用して簡易なバイオチップやバイオセンサーを製作するとともに、検出を行い、同様に普及が進んでいるインターネット経由で、所望の医療機関に送信する。これにより、コスト性に優れ、一般家庭での簡易診断、予防診断、データトレンド診断ができる。また、この医療システムを用いれば、医療機関・検査機関と家庭内検査がタイムラグなく行われ、データ管理ができ、診断・検査費用は、インターネット経由で、登録された口座やクレジットカードから安全確実に引き落とされる。
【００５５】
【発明の効果】
本発明のバイオチップおよびバイオセンサーなどの汎用生体関連情報記録済媒体、およびこれらの製造方法、製作装置、検出装置、並びにこれらを統合し、家庭内検査と医療機関診断・判定・モニターを通信網で融合した医療システムは、以上のように、家庭やオフィス内で目的に応じたバイオセンサー等を、既設のプリンタやパソコンで製作・検査を行い、これらをインターネットで専門の医療・検査機関に転送し、結果を受け取れるようにし、その料金もインターネットにて課金徴収されるようにしたので高度なバイオセンサーをもちいた検査を、医療機関に出向くことなく、また継続的にトレンドを測定できるため、在宅で高度な医療診断・検査を提供できるという効果を奏する。
【図面の簡単な説明】
【図１】バイオビジネスモデルの一実施例を示す説明図である。
【図２】本実施の形態に係る汎用生体関連情報記録済媒体の製作装置に備えられるインクジェットプリンタ１７を示す説明図である。
【図３】本実施の形態の製作装置のインクタンクとして好適に用いられる市販プリンタのインクタンク２０ａ，  ２０ｂ，  ２０ｃを示す説明図である。
【図４】従来より用いられるＤＮＡチップ用スキャナである。
【図５】上記スキャナの概略構造を示す説明図である。
【図６】上記スキャナの概略構造を示す説明図である。
【図７】市販インクジェットプリンタのノズル構成を示す説明図である。
【図８】市販インクジェットプリンタによるドットイメージである。
【図９】市販インクジェットプリンタの液滴ドットイメージである。
【図１０】一般的なＣＤの記録信号概念図である。
【図１１】ＣＤの記録信号（０ビットのみで表現）を示す説明図である。
【図１２】ＣＤのピットトレースの概念図（記録面から見た）である。
【図１３】生体関連物質のインクジェット塗布の模式図である。
【図１４】ＣＤ全体での生体関連物質の塗布状態（記録面から見た）を示す説明図である。
【図１５】ＣＤの読取メカニズムを示す説明図である。
【図１６】生体関連物質塗布パターンを示す説明図である。
【符号の説明】
１  家庭や事務所の領域
２  取引窓口
３  バイオ関連解析・診断情報
４  医療機関・検査機関
５  インターネット
６  家庭用・事務用ＰＣ
７  家庭用（・事務用インクジェット）プリンタ（印字手段）
８  印刷アダプタ（ホルダ）
９  バイオチップ基材
１０  生体関連物質充填インクタンク
１１  検体
１２  バイオチップ
１３  ディジタルカメラ
１４  ＰＣ用ＣＤドライブ
１５  専用読取光学系
１６  既存読取光学系
１７インクジェットプリンタ本体
１８  給紙トレイ
１９  ＣＤ
２０ａ  インクタンク
２０ｂ  インクタンク
２０ｃ  インクタンク
２１  ＤＮＡチップ専用スキャナふた
２２  ＤＮＡチップ専用スキャナ本体
２３  ＤＮＡチップ専用スキャナ用ＰＣ
２４  インクジェットプリンタノズル部（下面）
２５  インクジェットノズルの構成
２６  中心穴
２７  ＣＤ
２８  記録ライン
２９  記録ビットの拡大図
２９ａ  小ビット（０）
２９ｂ  大ビット（１）
３０  左チャンネル信号（１６ビット）
３１  右チャンネル信号（１６ビット）
３２  読取時間軸
３３  インクジェット塗布された生体関連物質
３４  スピンドル軸
３５  押さえメカニズム
３６  下側回転軸心調芯メカニズム
３７  励起用ランプまたはＬＥＤ
３８、４０  サーボメカニズム固定メカニズム
３９  サーボメカニズム（横軸駆動用）
４１  読取光学系および内蔵フォーカシングメカニズム
４２  励起ランプ固定メカニズム
４３  通常ピット読取光学系先端部
４４ａ  〜４４ｃ  特定の生体関連物質の塗布領域
【図１】
2005069728.tif 000003
【図２】
2005069728.tif 000004
【図３】
2005069728.tif 000005
【図４】
2005069728.tif 000006
【図５】
2005069728.tif 000007
【図６】
2005069728.tif 000008
【図７】
2005069728.tif 000009
【図８】
2005069728.tif 000010
【図９】
2005069728.tif 000011
【図１０】
2005069728.tif 000012
【図１１】
2005069728.tif 000013
【図１２】
2005069728.tif 000014
【図１３】
2005069728.tif 000015
【図１４】
2005069728.tif 000016
【図１５】
2005069728.tif 000017
【図１６】
2005069728.tif 000018